(57)【要約】【課題】  内容物が減少するにつれて容器が規則的に収縮する構成とすることにより、内容物が減少した際の見栄えがよく、安定性もあり、収納する際のスペース効率も高め得る支持部材付き容器を提供する。【解決手段】上下に延びる支柱１０と、支柱１０の下端部を支持して支柱の起立状態を保持する台座部２０と、支柱１０の上部に設けられ空気置換をしない状態で内容物を注出可能とする注出部３０と、を具備する支持部材と、支柱１０を取り囲む胴部６１を備えた内容物を収納する容器６０と、を備え、容器６０の胴部６１は周方向に折り畳み可能の山折り部７１と谷折り部７２が交互に設けられ、内容物の減少に伴って胴部上下端部の径は一定に規制されつつ山折り部７１と谷折り部７２が屈曲して胴部の中間部が径方向に収縮変形する構成となっていることを特徴とする。【選択図】    図１
2005047549.tif 000002
【特許請求の範囲】
【請求項１】
上下に延びる支柱と、該支柱の下端部を支持して支柱の起立状態を保持する台座部と、前記支柱の上部に設けられ空気置換をしない状態で内容物を注出可能とする注出部と、を具備する支持部材と、
前記支柱を取り囲む胴部を備えた内容物を収納する容器と、を備え、
該容器の胴部は周方向に折り畳み可能の山折り部と谷折り部が交互に設けられ、内容物の減少に伴って胴部上下端部の径は一定に規制されつつ山折り部と谷折り部が屈曲して胴部の中間部が径方向に収縮変形する構成となっていることを特徴とする支持部材付き容器。
【請求項２】
山折り部と谷折り部は、胴部上端および下端から軸方向中央に向けて中心軸を通る面に対して同一方向に傾斜する傾斜部を備えている構成の請求項１に記載の支持部材付き容器。
【請求項３】
山折り部と谷折り部は、胴部の上下傾斜部の間に胴部の中心軸と平行に延びる真直部を備え、該真直部を介して上下の傾斜部が接続されている請求項２に記載の支持部材付き容器。
【請求項４】
山折り部と谷折り部は、胴部の上下傾斜部の中央側の端部が互いに接続されている請求項２に記載の支持部材付き容器。
【請求項５】
容器は、支持部材に対して付け替え可能となっている請求項１乃至４のいずれかの項に記載の支持部材付き容器。
【発明の詳細な説明】
【技術分野】
【０００１】
本発明は、たとえば樹脂フィルムで構成される容器関し、特に支持部材付きの容器に関する。
【背景技術】
【０００２】
従来のこの種の支持部材付き容器としては、たとえば特許文献１に記載されるようなものが知られている。
すなわち、柔軟性シートによって形成された胴部の下端開口部を合成樹脂製の底部材によって閉塞すると共に、胴部材の上端開口部に口部材が取り付けられ、胴部材の内側には支柱が配設され、支柱は、その下端部が底部材に固定され、上端部を口部材に固定するようになっていた。
このように支柱によって自立する構成とすることによって、内容物が減少して胴部材の腰が無くなっても自立性を確保するようになっていた。
【特許文献１】特開２００２−５３１３９号公報
【発明の開示】
【発明が解決しようとする課題】
【０００３】
しかしながら従来の支持部材付き容器の場合には、内容物が減少して胴部に張りが無くなっても支柱によって支えられているために、容器が一定の空間を占有することになり、収納する際のスペース効率が悪い。また、張りの無い状態の容器が支柱に支持されているので、見栄えも悪いという問題があった。
【０００４】
本発明は、上記した従来技術の問題点を解決するためになされたもので、その目的とするところは、内容物が減少するにつれて容器が規則的に収縮する構成とすることにより、内容物が減少した際の見栄えがよく、収納する際のスペース効率も高め得る支持部材付き容器を提供することにある。
【課題を解決するための手段】
【０００５】
上記目的を達成するために、本発明にあっては、上下に延びる支柱と、支柱の下端部を支持して支柱の起立状態を保持する台座部と、支柱の上部に設けられ空気置換をしない状態で内容物を注出可能とする注出部と、を具備する支持部材と、支柱を取り囲む胴部を備えた内容物を収納する容器と、を備え、容器の胴部は周方向に折り畳み可能の山折り部と谷折り部が交互に設けられ、内容物の減少に伴って胴部上下端部の径は一定に規制されつつ山折り部と谷折り部が屈曲して胴部の中間部が径方向に収縮変形する構成となっていることを特徴とする。
【０００６】
山折り部と谷折り部は、胴部上端および下端から軸方向中央に向けて中心軸を通る面に対して同一方向に傾斜する傾斜部を備えていることを特徴とする。
また、山折り部と谷折り部は、胴部の上下傾斜部の間に胴部の中心軸と平行に延びる真直部を備え、真直部を介して上下の傾斜部が接続されていることを特徴とする。
【０００７】
山折り部と谷折り部は、胴部の上下傾斜部の中央側の端部が互いに接続されていることを特徴とする。
容器は、支持部材に対して付け替え可能となっていることを特徴とする。
【発明の効果】
【０００８】
本発明によれば、内容物の減少に伴って胴部上下端部の径は一定に規制されつつ山折り部と谷折り部が屈曲して胴部の中間部が径方向に収縮変形する構成となっているので、従来のように空になった部分が出っ張るようなことが無くなり、収納効率も良くなる。
また、内容物が少なくなっても、支持部材の台座部によって支持されているので、容器の減容化形状に関わらず安定して支持される。
また、山折り部と谷折り部の変形状態によって残量が一目で分かり便利であり、さらに、山折り部および谷折り部の折り目形状が外観形状に変化を与え、斬新な形状の容器を実現できる。
空気置換をしないエアレス構成なので、内容物の変質を抑制することができ、また、内筒部の開き具合によって内容物の残量を確認することもできる。
【０００９】
また、山折り部と谷折り部が同一方向に傾斜する傾斜部を備えた構成とすれば、胴部上下端に対して中央部がねじり変形し、スムースに減容化される。
【００１０】
さらに、山折り部と谷折り部が、互いに平行に延びる真直部を備え、真直部を介して上下の傾斜部が接続される構成とすれば、真直部が平行に収縮し、減容化の効率が高い。
【００１１】
また、山折り部と谷折り部を、胴部の上下傾斜部の中央側の端部が互いに接続される構成とすれば、形状の変化を多様にできる。
さらに、容器を支持部材に対して付け替え可能に構成することにより、リサイクル性が高くなる。
【発明を実施するための最良の形態】
【００１２】
以下に本発明を図示の実施の形態に基づいて詳細に説明する。
実施の形態１．
図１乃至図３は本発明の実施の形態１に係る支持部材付き容器を示している。
すなわち、上下に延びる支柱１０と、支柱１０の下端部を支持して支柱１０の起立状態を保持する台座部２０と、支柱１０の上部に設けられ空気置換をしない状態で内容物を注出可能とする注出部３０と、を具備する支持部材４０と、支柱１０を取り囲む胴部６１を備えた容器６０と、を備えている。
【００１３】
支柱１０は中空のパイプ形状で、上下に貫通する導入路１１が設けられている。
台座部２０は、平面形状が円形で、縦断面形状が上方に向かって凸となるように円弧状に湾曲しており、円形の周縁部２１が載置され、盛り上がった中央の頂部２２に支柱１０下端が結合されている。
【００１４】
注出部３０は、ポンプ部３１と、ポンプ部３１から上方に突出するステム３２と、ステム３２の上端に取り付けられる吐出口３３ａを有するノズルヘッド３３と、を備えた構成となっている。
ポンプ部３１は、支柱１０内の導入路１１を通じて収納部５０内の内容物を吸い上げ、吸い上げた内容物をノズルヘッド３３の吐出口３３ａから吐出する。ポンプ部３１の構成は特に図示しないが、例えば内容物の吸い上げ時には開き吐出時には閉じる弁機構と、ステム３２を介してノズルヘッド３３と連結されるピストンと、ノズルヘッド３３を押し上げる方向に付勢するバネ等を備えた構成となっている。そして、ポンプ部３１外周の中途部には容器６０を取り付けるための取付フランジ３４が張り出している。
【００１５】
容器６０は、円筒形状の胴部６１と、胴部６１下端を閉塞する底部６２と、胴部６１上端と注出部３０との取付端部６４間を連結する上下方向に伸縮可能の伸縮部６３とを備え、台座部２０および支柱１０が容器６０内に挿入され、伸縮部６３の上端がポンプ部３１の取付フランジ３４の外周面に固定されるようになっている。
容器６０の取付端部６４は、取付フランジ３４に着脱自在に嵌合される固定リング３５によって挟み付けて固定するようになっている。
【００１６】
胴部６１には周方向に折り畳み可能の山折り部７１と谷折り部７２が交互に設けられ、内容物の減少に伴って、胴部６１の上下端部の径は一定に規制されつつ山折り部７１と谷折り部７２が屈曲し、胴部６１の中間部が径方向に収縮変形する構成となっている。胴部６１の下端６１ａは底部６２との屈曲部、胴部６１の上端６１ｂは伸縮部６３との屈曲部となっており、形状的に剛性が高く収縮変形が規制される構成である。
【００１７】
山折り部７１と谷折り部７２は、胴部６１の上端６１ｂおよび下端６１ａから中央部に向けて胴部６１の中心軸Ｎを通る面に対して同一方向に斜めに傾斜する山折り傾斜部７１ａと谷折り傾斜部７２ａを備えている。上下の山折り傾斜部７１ａおよび谷折り傾斜部７２ａは、胴部６１の中心軸と平行に延びる山折り真直部７１ｂおよび谷折り真直部７２ｂに連なり、収縮時には山折り真直部７１ｂと谷折り真直部７２ｂが平行状態を保って収縮し、上下の山折り傾斜部７１ａおよび谷折り傾斜部７２ａが螺旋状に折り重なって上下端から中央に向けて径が絞られるようにねじり変形する。
伸縮部６３は、取付フランジ３４に接続される取付端６４の径が胴部上端６１ｂの径よりも小径で、あらかじめ開口径を絞るように螺旋状に折り畳み、上下方向に伸縮を許容する構成となっている。
【００１８】
図３は、胴部６１および伸縮部６３の展開例である。
胴部６１および伸縮部６３は一枚の四角形状のフィルムによって構成される。
まず、胴部６１についてついて説明すると、図示例では、複数本の山折り真直部７１ｂ，谷折り真直部７２ｂが互いに平行に所定間隔でもって交互に設けられている。図示例では山折り真直部７１ｂが８箇所，谷折り真直部７２ｂが８箇所に設けられているが、その数，配置は任意である。
【００１９】
上下の山折り傾斜部７１ａと谷折り傾斜部７２ａは、中央側端部から上端および下端に向けて傾斜角度が徐々に大きくなるように湾曲する円弧形状で、隣合う山折り傾斜部７１ａと谷折り傾斜部７２ａの間隔は胴部上下端１０ｂ，１０ａに向けて序々に狭くなり上下端６１ｂ，６１ａ上の交点７３にて１点に交わっている。
隣り合う山折り真直部７１ｂ，７１ｂの間隔Ｐとすると、山折り傾斜部７１ｂの円弧半径Ｒ１はＰで、曲率中心Ｏ１は交点２２ｃから間隔Ｐだけ離れた位置に位置する。傾斜谷折り部２２ｂの円弧半径Ｒ２はＰの１．５倍で、その曲率中心Ｏ２は交点２２ｃから間隔１．５Ｐだけ離れた位置に位置する。
【００２０】
伸縮部６３も山折り部８１と谷折り部８２が周方向に交互に複数設けられた構成となっている。山折り部８１と谷折り部８２の形状は、胴部上端６１ｂ（伸縮部下端に対応）から伸縮部６３の上端に向けて胴部６１の中心軸を通る面に対して同一方向に斜めに傾斜する山折り傾斜部８１ａおよび谷折り傾斜部８２ａと、上端部の山折り真直部８１ｂと谷折り真直部８２ｂとを備えた構成となっている。
山折り傾斜部８１ａおよび谷折り傾斜部８２ａの形状は、胴部６１の上部に位置する山折り傾斜部７１ａと谷折り傾斜部７２ａを胴部上端６１ｂに対して線対称に反転させた形状となっている。胴部６１と異なり、この伸縮部６３はあらかじめ螺旋状に折り畳まれ、上端部の取付端部６４は山折り真直部８１ｂと谷折り真直部８２ｂを円形に折り畳んで構成される。
【００２１】
伸縮部６３の構成は螺旋状の折り畳み構成に限られず、種々の構成が適用可能であるが、このように螺旋状の折り畳み構成とすれば、平面状のフィルムに胴部６１と同じ折り畳みパターンを形成するだけでよい。
【００２２】
この実施の形態１の支持部材付き容器によれば、内容物を吐出した分だけ容器６０内が陰圧となり、大気圧によって圧縮されて容器の胴部６１が山折り部７１および谷折り部７２の折り目にそって折り畳まれて収縮していく（図２（Ａ），（Ｂ）参照）。すなわち、上下の山折り傾斜部７１ａおよび谷折り傾斜部７２ａが同一方向に螺旋状にねじれるように折り畳まれて収縮していき、中央の山折り真直部７１ｂおよび谷折り真直部７２ｂは山折り傾斜部７１ａおよび谷折り傾斜部７２ａのねじれ方向に回転しつつ平行に折り畳まれて径方向に収縮する。
【００２３】
上下の山折り傾斜部７１ａおよび谷折り傾斜部７２ａがねじれて収縮する過程で、上下端６１ｂ，６１ａは形状的に剛性があるので収縮せず、中央側の端部が収縮していくので側面が序々に円錐状に傾斜して軸方向に収縮し、その分、胴部６１の上端６１ｂの高さが低くなる。この胴部６１の上端６１ｂの高さの低下分は伸縮部６３の上下方向の伸びによって吸収される。
【００２４】
容器６０は胴部６１が中心に向かって減容化していくので、従来のように空になった部分が出っ張るようなことが無くなり、収納効率も良くなる。内容物が少なくなっても、支持部材４０の台座部２０によって支持されているので、容器６０の減容化形状に関わらず安定して支持される。また、山折り部７１および谷折り部７２の折り目形状が外観形状に変化を与え、斬新な形状の容器を実現できる。
内容物を使い切ると、固定リングを外し新しい容器を付け替えて使用する。
【００２５】
図４乃至図６には本発明の実施の形態２に係る支持部材付き容器を示している。支持部材の構成は実施の形態１と全く同じなので説明は省略し、容器の構成について説明する。
すなわち、容器２６０は、円錐台の底部を接合したように中央が膨らんだそろばん玉形状の胴部２６１と、胴部２６１下端を閉塞する底部２６２とを備え、上端がポンプ部３１の取付フランジ３４外周面に固定されるようになっており、実施の形態１のように伸縮部が設けられていない。
【００２６】
胴部２６１上端の取付端部２６４は、取付フランジ３４に着脱自在に嵌合される固定リング３５によって挟み付けて固定するようになっている。
胴部２６１には周方向に折り畳み可能の山折り部２７１と谷折り部２７２が交互に設けられ、内容物の減少に伴って、胴部２６１の上下端部の径は一定に規制されつつ山折り部２７１と谷折り部２７２が屈曲して胴部２６１の中間部が径方向に収縮変形する構成となっている。胴部２６１の下端２６１ａは底部６２との屈曲部の剛性によって収縮が規制され、胴部２６１の上端２６１ｂは取付フランジ３４によって収縮変形が規制される。
【００２７】
山折り部２７１と谷折り部２７２は、上端および下端から中央部に向けて胴部６１の中心軸を通る面に対して同一方向に斜めに傾斜する山折り傾斜部２７１ａと谷折り傾斜部２７２ａを備えている。上下の山折り傾斜部２７１ａおよび谷折り傾斜部２７２ａの中央側端部は互いに接続され、収縮時には上下の山折り傾斜部２７１ａおよび谷折り傾斜部２７２ａの上下端部は固定で、中央側端部が序々に回転して径が絞られるようにねじり変形する。
【００２８】
図６は、胴部２６１の展開例を示している。
胴部２６１は平行四辺形を上下に合わせた六角形状のフィルムによって構成される。
図示例では、横方向中心線２６１ｃを隔てて上下の平行四辺形の部分に、それぞれ対称的に複数本の山折り傾斜部２７１ａ，谷折り傾斜部２７２ａが互いに平行に所定間隔でもって交互に設けられている。このフィルムを丸めて両側辺がシールされて立体形状とされるが、上下の平行四辺形部分を円錐面構成とするために、図示例では山折り傾斜部２７１ａを谷折り傾斜部２７２ａと平行の山折り基準線に対して所定角度分だけ三角形状に折り畳んで、上下端２６１ｂ，２６１ａの長さを横方向中心線２６１ｃの長さよりも短くなるように構成している。
【００２９】
すなわち、山折り傾斜部２７１ａは、山折り基準線２７１ｂと横方向中心線２６１ｃとの交点２７１ｄから、山折り基準線２７１ｂの左右に所定角度で２本の山折り線２７１ｃが設けられ、山折り基準線２７１ｂを谷線として山折り線２７１ｃが重なるように折り畳んで接着し山折り傾斜部２７１ａを構成する。
また、上下の山折り傾斜部２７１ａと谷折り傾斜部２７１ｂの傾斜方向は、左右同一方向に傾斜しており、上下端２６１ｂ，２６１ａにおける位相は同じである。
【００３０】
この実施の形態２の支持部材付き容器によれば、内容物を充填した状態では中央が膨らんだ形状となっている（図４（Ａ）参照）。
内容物を吐出するにつれて、容器２６０内が陰圧となり、大気圧によって圧縮されて容器２６０の胴部２６１が山折り部２７１および谷折り部２７２の折り目にそって折り畳まれて収縮していく。収縮時には上下の山折り傾斜部２７１ａおよび谷折り傾斜部２７２ａの上下端部は固定で、中央側端部が序々に回転して径が絞られるようにねじり変形し、円筒形状を経て（図４（Ｂ）参照）、中央部がくびれた鼓形状に変化していく（図４（Ｃ）参照）。
【００３１】
実施の形態１のように山折り傾斜部と谷折り傾斜部は交わった部分は無いので、内外径差が急激に変化する部分がなく、序々に山折り傾斜部２７１ａと谷折り傾斜部２７２ａが横に倒れるように傾斜していき、上下方向の高さは山折り傾斜部２７１ａと谷折り傾斜部２７１ｂの開き度合いによって自動的に調整されることになる。
【００３２】
この実施の形態２でも容器２６０の胴部２６１が中心に向かって絞られて減容化していくので、従来のように空になった部分が出っ張るようなことが無く、収納効率も良くなる。この形態では、中央が膨らんでいる分だけ容量を増大することが可能である。
また、実施の形態１と同様に、内容物が少なくなっても、支持部材４０の台座部２０によって支持されているので、容器２６０の減容化形状に関わらず安定して支持される，また、山折り部２７１および谷折り部２７２の折り目形状が外観形状に変化を与え、斬新な形状の容器２６０を実現できる。内容物を使い切ると、固定リング３５を外し新しい容器２６０を付け替えて使用する。
【００３３】
なお、胴部２６１の形状、山折り部と谷折り部の折りパターンは上記した実施の形態に限られるものではなく、種々の形状，折りパターンを適用することができる。たとえば、実施の形態２において、上下の傾斜山折り部および傾斜谷折り部が接続されるポイントを上方あるいは上下方向にずらすだけで、変化に富んだ外観形状となる。
【図面の簡単な説明】
【００３４】
【図１】図１は本発明の実施の形態１に係る支持部材付き容器を示すもので、同図（Ａ）は概略正面図、同図（Ｂ）は胴部上方の伸縮部の平面図、同図（Ｃ）は胴部（Ａ）の縦断面図である。
【図２】図２（Ａ）は図１の容器の胴部の収縮状態を示す正面図、同図（Ｂ）は同図（Ａ）の縦断面図である。
【図３】図３は図１の容器の展開図である。
【図４】図４は本発明の実施の形態２に係る支持部材付き容器の変形状態を示すもので、同図（Ａ）は内容積が最も大きい状態の正面図、同図（Ｂ）は内容積が半分程度まで収縮した状態の正面図、同図（Ｃ）は胴部がさらに収縮した状態の正面図である。
【図５】図５（Ａ）は図４（Ａ）の状態の支持部材付き容器の縦断面図、同図（Ｂ）は同図（Ａ）の容器の胴部を上方から見た状態の平面図である。
【図６】図６は図４の容器の展開図である。
【符号の説明】
【００３５】
１０  支柱、１１  導入路  
２０  台座部、２１  周縁部、２２ 頂部
３０  装置本体部、
３１  ポンプ部、３２  ステム、３３ａ  ノズル、３３  ノズルヘッド
３４  取付フランジ、３５  固定リング
４０  支持部材、
５０  収納部
６０  容器
６１  胴部、６２  底部、６３  伸縮部、６４  取付端部
６１ａ  胴部下端、６１ｂ  胴部上端
７１  山折り部
７１ａ  山折り傾斜部、７１ｂ  山折り真直部
７２  谷折り部
７２ａ  谷折り傾斜部、７２ｂ  谷折り真直部
２６０  容器
２６１  胴部、２６２  底部、
２７１  山折り部、２７１ａ  山折り傾斜部
２７２  谷折り部、２７２ａ  谷折り傾斜部
【図１】
2005047549.tif 000003
【図２】
2005047549.tif 000004
【図３】
2005047549.tif 000005
【図４】
2005047549.tif 000006
【図５】
2005047549.tif 000007
【図６】
2005047549.tif 000008